(57)【特許請求の範囲】
【請求項１】
画像入力装置に接続される画像形成装置であって、
前記画像入力装置より識別情報を取得する取得手段と、
前記取得手段により取得した識別情報が画像形成装置に接続される記憶媒体から取得した識別情報に対応するか否かを判別する判別手段と、
前記判別手段により前記取得手段により取得した識別情報が画像形成装置に接続される記憶媒体から取得した識別情報に対応すると判別された場合、前記画像形成装置に接続される記憶媒体から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が画像形成装置に接続される記憶媒体から取得した識別情報に対応しないと判別された場合、内部記憶手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有することを特徴とする画像形成装置。
【請求項２】
前記実行手段は、前記画像形成装置に接続される記憶媒体から取得した情報又は前記内部記憶手段に記憶されている情報のうち適したバージョンの情報を用いて前記画像入力装置から入力される文字、画像情報の印刷処理を実行することを特徴とする請求項１記載の画像形成装置。
【請求項３】
前記第１の情報及び前記第２の情報は、ガンマ補正情報であることを特徴とする請求項１又は２に記載の画像形成装置。
【請求項４】
画像入力装置に接続される画像形成装置であって、
前記画像入力装置より識別情報を取得する取得手段と、
前記取得手段により取得した識別情報が内部記憶手段に記憶されている識別情報に対応するか否かを判別する判別手段と、
前記判別手段により前記取得手段により取得した識別情報が内部記憶手段に記憶されている識別情報に対応すると判別された場合、前記内部記憶手段から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が内部記憶手段に記憶されている識別情報に対応しないと判別された場合、画像入力装置以外の外部手段のうち通信手段を介して画像形成装置に接続される外部手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有することを特徴とする画像形成装置。
【請求項５】
前記実行手段は、前記内部記憶手段に記憶されている前記第１の情報又は前記通信手段を介して画像形成装置に接続される外部手段から取得した前記第２の情報のうち適したバージョンの情報を用いて前記印刷処理を実行することを特徴とする請求項４記載の画像形成装置。
【請求項６】
前記第１の情報及び前記第２の情報は、ガンマ補正情報であることを特徴とする請求項４又は５に記載の画像形成装置。
【請求項７】
画像入力装置と、請求項１記載の画像形成装置とを有することを特徴とする画像形成システム。
【請求項８】
画像入力装置と、請求項４記載の画像形成装置とを有することを特徴とする画像形成システム。
【請求項９】
画像入力装置に接続される画像形成装置の画像形成方法であって、
前記画像入力装置より識別情報を取得する取得ステップと、
前記取得ステップにより取得した識別情報が画像形成装置に接続される記憶媒体から取得した識別情報に対応するか否かを判別する判別ステップと、
前記判別ステップにより前記取得ステップにより取得した識別情報が画像形成装置に接続される記憶媒体から取得した識別情報に対応すると判別された場合、前記画像形成装置に接続される記憶媒体から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別ステップにより前記取得ステップにより取得した識別情報が画像形成装置に接続される記憶媒体から取得した識別情報に対応しないと判別された場合、内部記憶手段から前記画像入力装置の特性に応じた制御を行うための第２の情報を取得し、前記第２の情報を用いて前記画像入力装置から入力される文字、画像情報に対し前記画像入力装置の特性に応じた制御を行ってから印刷処理を実行する実行ステップとを有することを特徴とする画像形成方法。
【請求項１０】
前記実行ステップは、前記画像形成装置に接続される記憶媒体から取得した情報又は前記内部記憶手段に記憶されている情報のうち適したバージョンの情報を用いて前記画像入力装置から入力される文字、画像情報の印刷処理を実行することを特徴とする請求項９記載の画像形成方法。
【請求項１１】
前記第１の情報及び前記第２の情報は、ガンマ補正情報であることを特徴とする請求項９又は１０に記載の画像形成方法。
【請求項１２】
画像入力装置に接続される画像形成装置の画像形成方法であって、
前記画像入力装置より識別情報を取得する取得ステップと、
前記取得ステップにより取得した識別情報が内部記憶手段に記憶されている識別情報に対応するか否かを判別する判別ステップと、
前記判別ステップにより前記取得ステップにより取得した識別情報が内部記憶手段に記憶されている識別情報に対応すると判別された場合、前記内部記憶手段から前記画像入力装置の特性に応じた制御を行うための第１の情報を取得し、前記第１の情報を用いて前記画像入力装置から入力される文字、画像情報に対し前記画像入力装置の特性に応じた制御を行ってから印刷処理を実行し、前記判別ステップにより前記取得ステップにより取得した識別情報が内部記憶手段に記憶されている識別情報に対応しないと判別された場合、画像入力装置以外の外部手段のうち通信手段を介して画像形成装置に接続される外部手段から前記画像入力装置の特性に応じた制御を行うための第２の情報を取得し、前記第２の情報を用いて前記画像入力装置から入力される文字、画像情報に対し前記画像入力装置の特性に応じた制御を行ってから印刷処理を実行する実行ステップとを有することを特徴とする画像形成方法。
【請求項１３】
前記実行ステップは、前記内部記憶手段に記憶されている前記第１の情報又は前記通信手段を介して画像形成装置に接続される外部手段から取得した前記第２の情報のうち適したバージョンの情報を用いて前記印刷処理を実行することを特徴とする請求項１２記載の画像形成方法。
【請求項１４】
前記第１の情報及び前記第２の情報は、ガンマ補正情報であることを特徴とする請求項１２又は１３に記載の画像形成方法。
【請求項１５】
前記識別情報は、画像入力装置のＩＤであることを特徴とする請求項１乃至６のいずれか１項に記載の画像形成装置。
【請求項１６】
前記識別情報は、バージョン情報を含むことを特徴とする請求項１５記載の画像形成装置。
【請求項１７】
前記識別情報は、画像入力装置のＩＤであることを特徴とする請求項９乃至１４のいずれか１項に記載の画像形成方法。
【請求項１８】
前記識別情報は、バージョン情報を含むことを特徴とする請求項１７記載の画像形成方法。
【発明の詳細な説明】
【０００１】
【発明の属する技術分野】
本発明は、外部より文字あるいは画像情報を受けてプリントアウトするための画像形成装置で、特に画像入力装置と直接接続される画像形成装置に関する。
【０００２】
【従来の技術】
一般に、デジタルカメラ等の画像入力装置からデジタル画像情報を得て画像を形成する画像形成装置においては、その間にパソコンなどの汎用ホストコンピューターを介して、様々な種類の入力装置に対応するか、あるいは、特に接続する機種を限って直接接続させるものが知られている。
【０００３】
【発明が解決しようとしている課題】
このような画像形成装置は、入力装置に応じたデータ処理を汎用ホストコンピューター側で行うか、あるいは内部に用意されたＲＯＭに貯えられた情報を用いて画像を出力している。この際、異なった入力装置や処理のバージョンアップに対応するためには、汎用ホストコンピューター内のデータ処理を行うプログラムを交換するか、あるいは画像形成装置側のＲＯＭを交換する必要が生じる。
【０００４】
この際、前者汎用コンピューター内のプログラム交換は容易なものの、入力・画像形成装置の他に汎用ホストコンピューターが必要になること、後者の場合ＲＯＭ交換は困難なため多種の画像入力装置やバージョンアップへの対応が困難になる。特に、画像入力装置と画像形成装置とを汎用ホストコンピューターを介さずに接続した場合、操作性・画質・処理速度の改善はいったん装置が完成した後では困難であるか、事実上不可能であることが多く、問題が生じやすい。
【０００５】
本発明の目的は、様々な画像入力装置に適した印刷処理や、バージョンアップを汎用ホストコンピューターを介さずに行うことができる画像形成装置、システム、及び、方法を提供することにある。
【０００６】
【課題を解決するための手段】
上記課題を解決するために本発明の画像形成装置は、画像入力装置に接続される画像形成装置であって、前記画像入力装置より識別情報を取得する取得手段と、前記取得手段により取得した識別情報が画像形成装置に接続される記憶媒体から取得した識別情報に対応するか否かを判別する判別手段と、前記判別手段により前記取得手段により取得した識別情報が画像形成装置に接続される記憶媒体から取得した識別情報に対応すると判別された場合、前記画像形成装置に接続される記憶媒体から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が画像形成装置に接続される記憶媒体から取得した識別情報に対応しないと判別された場合、内部記憶手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有することを特徴とする。
【０００７】
また、本発明の画像形成装置は、画像入力装置に接続される画像形成装置であって、前記画像入力装置より識別情報を取得する取得手段と、前記取得手段により取得した識別情報が内部記憶手段に記憶されている識別情報に対応するか否かを判別する判別手段と、前記判別手段により前記取得手段により取得した識別情報が内部記憶手段に記憶されている識別情報に対応すると判別された場合、前記内部記憶手段から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が内部記憶手段に記憶されている識別情報に対応しないと判別された場合、画像入力装置以外の外部手段のうち通信手段を介して画像形成装置に接続される外部手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有することを特徴とする。
【０００８】
また、本発明の画像形成システムは、画像入力装置と、画像入力装置に接続される画像形成装置であって、前記画像入力装置より識別情報を取得する取得手段と、前記取得手段により取得した識別情報が画像形成装置に接続される記憶媒体から取得した識別情報に対応するか否かを判別する判別手段と、前記判別手段により前記取得手段により取得した識別情報が画像形成装置に接続される記憶媒体から取得した識別情報に対応すると判別された場合、前記画像形成装置に接続される記憶媒体から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が画像形成装置に接続される記憶媒体から取得した識別情報に対応しないと判別された場合、内部記憶手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有する画像形成装置を有することを特徴とする。
【０００９】
また、本発明の画像形成システムは、画像入力装置と、画像入力装置に接続される画像形成装置であって、前記画像入力装置より識別情報を取得する取得手段と、前記取得手段により取得した識別情報が内部記憶手段に記憶されている識別情報に対応するか否かを判別する判別手段と、前記判別手段により前記取得手段により取得した識別情報が内部記憶手段に記憶されている識別情報に対応すると判別された場合、前記内部記憶手段から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別手段により前記取得手段により取得した識別情報が内部記憶手段に記憶されている識別情報に対応しないと判別された場合、画像入力装置以外の外部手段のうち通信手段を介して画像形成装置に接続される外部手段から前記画像入力装置の特性に応じた制御を行うための第２の情報を取得し、前記第２の情報を用いて前記画像入力装置から入力される文字、画像情報に対して前記画像入力装置の特性に応じた制御を行ってから印刷処理を実行する実行手段とを有する画像形成装置を有することを特徴とする。
【００１０】
本発明の画像形成方法は、画像入力装置に接続される画像形成装置の画像形成方法であって、前記画像入力装置より識別情報を取得する取得ステップと、前記取得ステップにより取得した識別情報が画像形成装置に接続される記憶媒体から取得した識別情報に対応するか否かを判別する判別ステップと、前記判別ステップにより前記取得ステップにより取得した識別情報が画像形成装置に接続される記憶媒体から取得した識別情報に対応すると判別された場合、前記画像形成装置に接続される記憶媒体から前記画像入力装置の特性に応じた制御を行うための第１の情報を取得し、前記第１の情報を用いて前記画像入力装置から入力される文字、画像情報に対して前記画像入力装置の特性に応じた制御を行ってから印刷処理を実行し、前記判別ステップにより前記取得ステップにより取得した識別情報が画像形成装置に接続される記憶媒体から取得した識別情報に対応しないと判別された場合、内部記憶手段から前記画像入力装置の特性に応じた制御を行うための第２の情報を取得し、前記第２の情報を用いて前記画像入力装置から入力される文字、画像情報に対し前記画像入力装置の特性に応じた制御を行ってから印刷処理を実行する実行ステップとを有することを特徴とする。
【００１１】
また、本発明の画像形成方法は、画像入力装置に接続される画像形成装置の画像形成方法であって、前記画像入力装置より識別情報を取得する取得ステップと、前記取得ステップにより取得した識別情報が内部記憶手段に記憶されている識別情報に対応するか否かを判別する判別ステップと、前記判別ステップにより前記取得ステップにより取得した識別情報が内部記憶手段に記憶されている識別情報に対応すると判別された場合、前記内部記憶手段から前記画像入力装置の特性に応じた制御を行うための第１の情報を取得し、前記第１の情報を用いて前記画像入力装置から入力される文字、画像情報に対し前記画像入力装置の特性に応じた制御を行ってから印刷処理を実行し、前記判別ステップにより前記取得ステップにより取得した識別情報が内部記憶手段に記憶されている識別情報に対応しないと判別された場合、画像入力装置以外の外部手段のうち通信手段を介して画像形成装置に接続される外部手段から前記画像入力装置の特性に応じた制御を行うための第２の情報を取得し、前記第２の情報を用いて前記画像入力装置から入力される文字、画像情報に対し前記画像入力装置の特性に応じた制御を行ってから印刷処理を実行する実行ステップとを有することを特徴とする。
【００１２】
【発明の実施の形態】
図１に本発明の第１の発明の実施の形態概略図を示す。図１に示すように、この画像形成装置１００は、画像入力装置に接続されたプリンターコントローラ部１０と操作パネル１１、プリンタエンジン部とを有している。上記操作パネル１１は、現在の画像形成装置の状態を知らせたり、印字モードの選択、各種指示を行うためのものである。また、上記エンジン部１２はインクジェットプリンタ等の実施に画像データの印字を行うためのものである。上記プリンターコントロール部１０は、各種情報、例えば対応可能な画像入力装置の種類、バージョン、画像処理情報、印字モード、データ処理方法、操作方法等、が格納されている外部より着脱可能な外部メモリー１０４と、制御プログラムが格納されているＲＯＭ１０２と、書き換え可能な不揮発性のＲＯＭ１０３と、上記ＲＯＭ１０２、１０３またはメモリーカード１０４の情報によって全体を制御するＣＰＵ１０５と、上記ＣＰＵ１０５のワークメモリ入力データのインプットバッファ、印字データ用の印字バッファ等に使用されるＲＡＭ１０１と上記エンジン１２とコマンドやステータス、印字データをやり取りするエンジンインターフェース１０７と、上記操作パネル１１とのやり取りをするパネルインターフェース１０６と、画像入力装置１３よりデータの送受信を行うデータ用インターフェース１０８を有している。外部より着脱可能な外部メモリー１０４にはＩＣメモリー、フラッシュカード、ＰＣＭＩＣＡカード、スマートメディア、ＭＯ等あらゆるデジタル記録媒体が利用可能である。また、外部よりデータの送受信を行うインターフェース１０８と画像入力装置１３との接続は、ＩＥＥＥ１３９４等のケーブルによる接続でも、赤外線（ＩｒＤＡ）などのケーブルを使用しないものでもよい。
【００１３】
図２は、本発明の第１の実施の形態であり、図３のＲＯＭ４０２に記憶されているプログラムに係るフローチャートを用いて説明する。ＣＰＵ１０５は、Ｓ３１で接続された画像入力装置から画像入力装置のＩＤを得るため接続処理を行う。Ｓ３２でメモリーカード１０４に記憶されているＩＤを認識し、Ｓ３３でＩＤを比較し、メモリーカード１０４に格納されている情報が対応可能かどうか判断し、対応可能である場合には該情報を利用する事とする。なお、メモリーカード１０４に記載されているＩＤに一致しない場合は、ＲＯＭ１０３に記憶されているプログラムに基づき処理を行う。また、バージョンの比較も行い、もっとも適したバージョンの情報を利用することとする。ここで情報を利用する際には、メモリーカード１０４、ＲＯＭ１０３から直接、あるいは、メモリーカード１０４からＲＯＭ１０３に情報の書き換えを行い、これを利用してもよい。該外部メモリー・ＲＯＭに貯えられた情報により、上記画像形成装置は、接続された上記画像入力装置より送られてくる文字・画像情報に対し、もっとも適切な制御を行うことが可能となる。ここでいう制御とは、例えば、該画像入力装置の特性を考慮した２値化処理を行うためのデータ・プログラム、色処理を行うためのデータ・プログラム、マスキング処理を行うためのデータ・プログラム、ガンマ補正処理を行うためのデータ・プログラム、解像度変換を行うためのデータ・プログラム、印字モードを指定するデータ、メディア選択を行うためのデータ、などを指す。また、該画像形成装置での各処理のバージョンアップや新しいメディアへの対応も、該外部メモリーの情報を利用することにより容易になる。次にＳ３５でプリント指示があったか否かを判別し、Ｓ３５でプリント指示があったと判断された場合、Ｓ３６に進み、Ｓ３３の判別に基づきメモリーカード１０４またはＲＯＭ１０３のプログラムに基づき印刷を行う。
【００１４】
（第２の発明の実施の形態）
次に、図４に本発明の第２の発明の実施の形態を示す。これは第１の発明の実施の形態の着脱可能なメモリーを、外部からの通信による情報のダウンロードに置き換えたものである。発明の実施の形態１と同様に様々な入力機器や、バージョンアップに対応可能となる。
【００１５】
この画像形成装置４００は、画像入力装置４３に接続されたプリンターコントローラ部４０と操作パネル４１、プリンタエンジン部４２とを有している。上記操作パネル４１、上記エンジン部４２は発明の実施の形態１と同様である。上記プリンターコントロール部は、外部との通信インターフェース４０８と、制御プログラムが格納されているＲＯＭ４０２と、書き換え可能な不揮発性のＲＯＭ４０３と、上記ＲＯＭ４０２、４０３の情報によって全体を制御するＣＰＵ４０４と、上記ＣＰＵ４０４のワークメモリや入力データのインプットバッファ、印字データ用の印字バッファ等に使用されるＲＡＭ４０１と、上記エンジン４２とコマンドやステータス、印字データをやり取りするエンジンインターフェース４０６と、上記操作パネル４１とのやり取りをするパネルインターフェース４０５と、を有している。
【００１６】
図５は、本発明の第２の発明の実施の形態であり、図６のＲＯＭ４０２に記憶されているプログラムに係るフローチャートを用いて説明する。ＣＰＵ４０４は、Ｓ６１で接続された画像入力装置から画像入力装置のＩＤを得るための接続処理を行う。Ｓ６２でＲＯＭに記憶されているＩＤを認識し、Ｓ６３でＲＯＭ１０３内に格納されている情報が有効であるか比較を行い、有効でない場合、Ｓ６４で通信インターフェースを介して該画像入力装置に対応する情報を書き換え可能なＲＯＭ４０３へダウンロードすることとし、ＣＰＵ４０４は、Ｓ６５でプリント指示があったか判別し、プリント指示があった場合、Ｓ６６に進み、上記画像入力装置からの画像データを上記書き換え可能なＲＯＭ４０３に貯えられた情報を元に画像を形成し、プリントする。ここでの情報とは、例えば対応可能な画像入力装置の種類、バージョン、画像処理情報、印字モード、データ処理方法、操作方法等、である。画像入力装置の種類とは、デジタルカメラとスキャナーのような区別だけでなく、例えば同じデジタルカメラでの機種ごとの区別をも指す。なお、本発明の実施の形態では、通信回線より情報をダウンロードさせたが、画像入力装置からダウンロードさせてもよい。
【００１７】
次に、ＩＥＥＥ１３９４インターフェースについて説明する。
【００１８】
《ＩＥＥＥ１３９４の技術の概要》
家庭用デジタルＶＴＲやＤＶＤの登場も伴なって、ビデオデータやオーディオデータなどのリアルタイムでかつ高情報量のデータ転送のサポートが必要になっている。こういったビデオデータやオーディオデータをリアルタイムで転送し、パソコン（ＰＣ）に取り込んだり、またはその他のデジタル機器に転送を行なうには、必要な転送機能を備えた高速データ転送可能なインターフェースが必要になってくるものであり、そういった観点から開発されたインターフェースがＩＥＥＥ１３９４−１９９５（Ｈｉｇｈ  Ｐｅｒｆｏｒｍａｎｃｅ  Ｓｅｒｉａｌ  Ｂｕｓ）（以下１３９４シリアルバス）である。
【００１９】
図７に１３９４シリアルバスを用いて構成されるネットワーク・システムの例を示す。このシステムは機器Ａ，Ｂ，Ｃ，Ｄ，Ｅ，Ｆ，Ｇ，Ｈを備えており、Ａ−Ｂ間、Ａ−Ｃ間、Ｂ−Ｄ間、Ｄ−Ｅ間、Ｃ−Ｆ間、Ｃ−Ｇ間、及びＣ−Ｈ間をそれぞれ１３９４シリアルバスのツイスト・ペア・ケーブルで接続されている。この機器Ａ〜Ｈは例としてＰＣ、デジタルＶＴＲ、ＤＶＤ、デジタルカメラ、ハードディスク、モニタ等である。
【００２０】
各機器間の接続方式は、ディジーチェーン方式とノード分岐方式とを混在可能としたものであり、自由度の高い接続が可能である。
【００２１】
また、各機器は各自固有のＩＤを有し、それぞれが認識し合うことによって１３９４シリアルバスで接続された範囲において、１つのネットワークを構成している。各デジタル機器間をそれぞれ１本の１３９４シリアルバスケーブルで順次接続するだけで、それぞれの機器が中継の役割を行い、全体として１つのネットワークを構成するものである。また、１３９４シリアルバスの特徴でもある、Ｐｌｕｇ  ＆  Ｐｌａｙ機能でケーブルを機器に接続した時点で自動で機器の認識や接続状況などを認識する機能を有している。
【００２２】
また、図７に示したようなシステムにおいて、ネットワークからある機器が削除されたり、または新たに追加されたときなど、自動的にバスリセットを行い、それまでのネットワーク構成をリセットしてから、新たなネットワークの再構築を行なう。この機能によって、その時々のネットワークの構成を常時設定、認識することができる。
【００２３】
またデータ転送速度は、１００／２００／４００Ｍｂｐｓと備えており、上位の転送速度を持つ機器が下位の転送速度をサポートし、互換をとるようになっている。
【００２４】
データ転送モードとしては、コントロール信号などの非同期データ（Ａｓｙｎｃｈｒｏｎｏｕｓデータ：以下Ａｓｙｎｃデータ）を転送するＡｓｙｎｃｈｒｏｎｏｕｓ転送モード、リアルタイムなビデオデータやオーディオデータ等の同期データ（Ｉｓｏｃｈｒｏｎｏｕｓデータ：以下Ｉｓｏデータ）を転送するＩｓｏｃｈｒｏｎｏｕｓ転送モードがある。このＡｓｙｎｃデータとＩｓｏデータは各サイクル（通常１サイクル１２５μＳ）の中において、サイクル開始を示すサイクル・スタート・パケット（ＣＳＰ）の転送に続き、Ｉｓｏデータの転送を優先しつつサイクル内で混在して転送される。
【００２５】
次に、図８に１３９４シリアルバスの構成要素を示す。
【００２６】
１３９４シリアルバスは全体としてレイヤ（階層）構造で構成されている。図８に示したように、最もハード的なのが１３９４シリアルバスのケーブルであり、そのケーブルのコネクタが接続されるコネクタポートがあり、その上にハードウェアとしてフィジカル・レイヤとリンク・レイヤがある。
【００２７】
ハードウェア部は実質的なインターフェースチップの部分であり、そのうちフィジカル・レイヤは符号化やコネクタ関連の制御等を行い、リンク・レイヤはパケット転送やサイクルタイムの制御等を行なう。
【００２８】
ファームウェア部のトランザクション・レイヤは、転送（トランザクション）すべきデータの管理を行ない、ＲｅａｄやＷｒｉｔｅといった命令を出す。マネージメント・レイヤは、接続されている各機器の接続状況やＩＤの管理を行ない、ネットワークの構成を管理する部分である。
【００２９】
このハードウェアとファームウェアまでが実質上の１３９４シリアルバスの構成である。
【００３０】
またソフトウェア部のアプリケーション・レイヤは使うソフトによって異なり、インターフェース上にどのようにデータをのせるか規定する部分であり、ＡＶプロトコルなどのプロトコルによって規定されている。
【００３１】
以上が１３９４シリアルバスの構成である。
【００３２】
次に、図９に１３９４シリアルバスにおけるアドレス空間の図を示す。
【００３３】
１３９４シリアルバスに接続された各機器（ノード）には必ず各ノード固有の６４ビットアドレスを持たせておく。そしてこのアドレスをＲＯＭに格納しておくことで、自分や相手のノードアドレスを常時認識でき、相手を指定した通信も行なえる。
【００３４】
１３９４シリアルバスのアドレッシングは、ＩＥＥＥ１２１２規格に準じた方式であり、アドレス設定は、最初の１０ｂｉｔがバスの番号の指定用に、次の６ｂｉｔがノードＩＤ番号の指定用に使われる。残りの４８ｂｉｔが機器に与えられたアドレス幅になり、それぞれ固有のアドレス空間として使用できる。最後の２８ｂｉｔは固有データの領域として、各機器の識別や使用条件の指定の情報などを格納する。
【００３５】
以上が１３９４シリアルバスの技術の概要である。
【００３６】
次に、１３９４シリアルバスの特徴といえる技術の部分を、より詳細に説明する。
【００３７】
《１３９４シリアルバスの電気的仕様》
図１０に１３９４シリアルバス・ケーブルの断面図を示す。
【００３８】
１３９４シリアルバスでは接続ケーブル内に、２組のツイストペア信号線の他に、電源ラインを設けている。これによって、電源を持たない機器や、故障により電圧低下した機器等にも電力の供給が可能になっている。
【００３９】
電源線内に流れる電源の電圧は８〜４０Ｖ、電流は最大電流ＤＣ１．５Ａと規定されている。
【００４０】
《ＤＳ−Ｌｉｎｋ符号化》
１３９４シリアルバスで採用されている、データ転送フォーマットのＤＳ−Ｌｉｎｋ符号化方式を説明するための図を図１１に示す。
【００４１】
１３９４シリアルバスでは、ＤＳ−Ｌｉｎｋ（Ｄａｔａ／Ｓｔｒｏｂｅ  Ｌｉｎｋ）符号化方式が採用されている。このＤＳ−Ｌｉｎｋ符号化方式は、高速なシリアルデータ通信に適しており、その構成は、２本の信号線を必要とする。より対線のうち１本に主となるデータを送り、他方のより対線にはストローブ信号を送る構成になっている。
【００４２】
受信側では、この通信されるデータと、ストローブとの排他的論理和をとることによってクロックを再現できる。
【００４３】
このＤＳ−Ｌｉｎｋ符号化方式を用いるメリットとして、他のシリアルデータ転送方式に比べて転送効率が高いこと、ＰＬＬ回路が不要となるのでコントローラＬＳＩの回路規模を小さくできること、更には、転送すべきデータが無いときにアイドル状態であることを示す情報を送る必要が無いので、各機器のトランシーバ回路をスリープ状態にすることができることによって、消費電力の低減が図れる、などが挙げられる。
【００４４】
《バスリセットのシーケンス》
１３９４シリアルバスでは、接続されている各機器（ノード）にはノードＩＤが与えられ、ネットワーク構成として認識されている。
【００４５】
このネットワーク構成に変化があったとき、例えばノードの挿抜や電源のＯＮ／ＯＦＦなどによるノード数の増減などによって変化が生じて、新たなネットワーク構成を認識する必要があるとき、変化を検知した各ノードはバス上にバスリセット信号を送信して、新たなネットワーク構成を認識するモードに入る。このときの変化の検知方法は、１３９４ポート基盤上でのバイアス電圧の変化を検知することによって行われる。
【００４６】
あるノードからバスリセット信号が伝達されて、各ノードのフィジカルレイヤはこのバスリセット信号を受けると同時にリンクレイヤにバスリセットの発生を伝達し、かつ他のノードにバスリセット信号を伝達する。最終的にすべてのノードがバスリセット信号を検知した後、バスリセットが起動となる。
【００４７】
バスリセットは、先に述べたようなケーブル抜挿や、ネットワーク異常等によるハード検出による起動と、プロトコルからのホスト制御などによってフィジカルレイヤに直接命令を出すことによっても起動する。
【００４８】
また、バスリセットが起動するとデータ転送は一時中断され、この間のデータ転送は待たされ、終了後、新しいネットワーク構成のもとで再開される。
【００４９】
以上がバスリセットのシーケンスである。
【００５０】
《ノードＩＤ決定のシーケンス》
バスリセットの後、各ノードは新しいネットワーク構成を構築するために、各ノードにＩＤを与える動作に入る。このときの、バスリセットからノードＩＤ決定までの一般的なシーケンスを図１９、図２０、図２１のフローチャートを用いて説明する。
【００５１】
図１９のフローチャートは、バスリセットの発生からノードＩＤが決定し、データ転送が行えるようになるまでの、一連のバスの作業を示してある。
【００５２】
まず、ステップＳ１０１として、ネットワーク内にバスリセットが発生することを常時監視していて、ここでノードの電源ＯＮ／ＯＦＦなどでバスリセットが発生するとステップＳ１０２に移る。
【００５３】
ステップＳ１０２では、ネットワークがリセットされた状態から、新たなネットワークの接続状況を知るために、直接接続されている各ノード間において親子関係の宣言がなされる。ステップＳ１０３として、すべてのノード間で親子関係が決定すると、ステップＳ１０４として一つのルートが決定する。すべてのノード間で親子関係が決定するまで、ステップＳ１０２の親子関係の宣言をおこない、またルートも決定されない。
【００５４】
ステップＳ１０４でルートが決定されると、次はステップＳ１０５として、各ノードにＩＤを与えるノードＩＤの設定作業が行われる。所定のノード順序で、ノードＩＤの設定が行われ、すべてのノードにＩＤが与えられるまで繰り返し設定作業が行われ、最終的にステップＳ１０６としてすべてのノードにＩＤを設定し終えたら、新しいネットワーク構成がすべてのノードにおいて認識されたので、ステップＳ１０７としてノード間のデータ転送が行える状態となり、データ転送が開始される。
【００５５】
このステップＳ１０７の状態になると、再びバスリセットが発生するのを監視するモードに入り、バスリセットが発生したらステップＳ１０１からステップＳ１０６までの設定作業が繰り返し行われる。
【００５６】
以上が、図１９のフローチャートの説明であるが、図１９のフローチャートのバスリセットからルート決定までの部分と、ルート決定後からＩＤ設定終了までの手順をより詳しくフローチャート図に表したものをそれぞれ、図２０、図２１に示す。
【００５７】
まず、図２０のフローチャートの説明を行う。
【００５８】
ステップＳ２０１としてバスリセットが発生すると、ネットワーク構成は一旦リセットされる。なお、ステップＳ２０１としてバスリセットが発生するのを常に監視している。
【００５９】
次に、ステップＳ２０２として、リセットされたネットワークの接続状況を再認識する作業の第一歩として、各機器にリーフ（ノード）であることを示すフラグを立てておく。さらに、ステップＳ２０３として各機器が自分の持つポートがいくつ他ノードと接続されているのかを調べる。
【００６０】
ステップＳ２０４のポート数の結果に応じて、これから親子関係の宣言を始めていくために、未定義（親子関係が決定されていない）ポートの数を調べる。バスリセットの直後はポート数＝未定義ポート数であるが、親子関係が決定されていくにしたがって、ステップＳ２０４で検知する未定義ポート数は変化していくものである。
【００６１】
まず、バスリセットの直後、はじめに親子関係の宣言を行えるのはリーフに限られている。リーフであるというのはステップＳ２０３のポート数の確認で知ることができる。リーフは、ステップＳ２０５として、自分に接続されているノードに対して、「自分は子、相手は親」と宣言し動作を終了する。
【００６２】
ステップＳ２０３でポート数が複数ありブランチと認識したノードは、バスリセットの直後はステップＳ２０４で未定義ポート数＞１ということなので、ステップＳ２０６へと移り、まずブランチというフラグが立てられ、ステップＳ２０７でリーフからの親子関係宣言で「親」の受付をするために待つ。
【００６３】
リーフが親子関係の宣言を行い、ステップＳ２０７でそれを受けたブランチは適宜ステップＳ２０４の未定義ポート数の確認を行い、未定義ポート数が１になっていれば残っているポートに接続されているノードに対して、ステップＳ２０５の「自分が子」の宣言をすることが可能になる。２度目以降、ステップＳ２０４で未定義ポート数を確認しても２以上あるブランチに対しては、再度ステップＳ２０７でリーフ又は他のブランチからの「親」の受付をするために待つ。
【００６４】
最終的に、いずれか１つのブランチ、又は例外的にリーフ（子宣言を行えるのにすばやく動作しなかった為）がステップＳ２０４の未定義ポート数の結果としてゼロになったら、これにてネットワーク全体の親子関係の宣言が終了したものであり、未定義ポート数がゼロ（すべて親のポートとして決定）になった唯一のノードはステップＳ２０８としてルートのフラグが立てられ、ステップＳ２０９としてルートとしての認識がなされる。
【００６５】
このようにして、図２０に示したバスリセットから、ネットワーク内すべてのノード間における親子関係の宣言までが終了する。
【００６６】
つぎに、図２１のフローチャートについて説明する。
【００６７】
まず、図２０までのシーケンスでリーフ、ブランチ、ルートという各ノードのフラグの情報が設定されているので、これを元にして、ステップＳ３０１でそれぞれ分類する。
【００６８】
各ノードにＩＤを与える作業として、最初にＩＤの設定を行うことができるのはリーフからである。リーフ→ブランチ→ルートの順で若い番号（ノード番号＝０〜）からＩＤの設定がなされていく。
【００６９】
ステップＳ３０２としてネットワーク内に存在するリーフの数Ｎ（Ｎは自然数）を設定する。この後、ステップＳ３０３として各自リーフがルートに対して、ＩＤを与えるように要求する。この要求が複数ある場合には、ルートはステップＳ３０４としてアービトレーション（１つに調停する作業）を行い、ステップＳ３０５として勝ったノード１つにＩＤ番号を与え、負けたノードには失敗の結果通知を行う。ステップＳ３０６としてＩＤ取得が失敗に終わったリーフは、再度ＩＤ要求を出し、同様の作業を繰り返す。ＩＤを取得できたリーフからステップＳ３０７として、そのノードのＩＤ情報をブロードキャストで全ノードに転送する。１ノードＩＤ情報のブロードキャストが終わると、ステップＳ３０８として残りのリーフの数が１つ減らされる。ここで、ステップＳ３０９として、この残りのリーフの数が１以上ある時はステップＳ３０３のＩＤ要求の作業からを繰り返し行い、最終的にすべてのリーフがＩＤ情報をブロードキャストすると、ステップＳ３０９がＮ＝０となり、次はブランチのＩＤ設定に移る。
【００７０】
ブランチのＩＤ設定もリーフの時と同様に行われる。
【００７１】
まず、ステップＳ３１０としてネットワーク内に存在するブランチの数Ｍ（Ｍは自然数）を設定する。この後、ステップＳ３１１として各自ブランチがルートに対して、ＩＤを与えるように要求する。これに対してルートは、ステップＳ３１２としてアービトレーションを行い、勝ったブランチから順にリーフに与え終わった次の若い番号から与えていく。ステップＳ３１３として、ルートは要求を出したブランチにＩＤ情報又は失敗結果を通知し、ステップＳ３１４としてＩＤ取得が失敗に終わったブランチは、再度ＩＤ要求を出し、同様の作業を繰り返す。ＩＤを取得できたブランチからステップＳ３１５として、そのノードのＩＤ情報をブロードキャストで全ノードに転送する。１ノードＩＤ情報のブロードキャストが終わると、ステップＳ３１６として残りのブランチの数が１つ減らされる。ここで、ステップＳ３１７として、残りのブランチの数が１以上ある時はステップＳ３１１のＩＤ要求の作業からを繰り返し、最終的にすべてのブランチがＩＤ情報をブロードキャストするまで行われる。すべてのブランチがノードＩＤを取得すると、ステップＳ３１７はＭ＝０となり、ブランチのＩＤ取得モードも終了する。
【００７２】
ここまで終了すると、最終的にＩＤ情報を取得していないノードはルートのみなので、ステップＳ３１８として与えていない番号で最も若い番号を自分のＩＤ番号と設定し、ステップＳ３１９としてルートのＩＤ情報をブロードキャストする。
【００７３】
以上で、図２１に示したように、親子関係が決定した後から、すべてのノードＩＤが設定されるまでの手順が終了する。
【００７４】
次に、一例として図１２に示した実際のネットワークにおける動作を図１２を参照しながら説明する。
【００７５】
図１２の説明として、（ルート）ノードＢの下位にはノードＡとノードＣが直接接続されており、更にノードＣの下位にはノードＤが直接接続されており、更にノードＤの下位にはノードＥとノードＦが直接接続された階層構造になっている。この、階層構造やルートノード、ノードＩＤを決定する手順を以下で説明する。
【００７６】
バスリセットがされた後、まず各ノードの接続状況を認識するために、各ノードの直接接続されているポート間において、親子関係の宣言がなされる。この親子とは親側が階層構造で上位となり、子側が下位となると言うことができる。
【００７７】
図１２ではバスリセットの後、最初に親子関係の宣言を行ったのはノードＡである。基本的にノードの１つのポートにのみ接続があるノード（リーフと呼ぶ）から親子関係の宣言を行うことができる。これは自分には１ポートの接続のみということをまず知ることができるので、これによってネットワークの端であることを認識し、その中で早く動作を行ったノードから親子関係が決定されていく。こうして親子関係の宣言を行った側（Ａ−Ｂ間ではノードＡ）のポートが子と設定され、相手側（ノードＢ）のポートが親と設定される。こうして、ノードＡ−Ｂ間では子−親、ノードＥ−Ｄ間で子−親、ノードＦ−Ｄ間では子−親と決定される。
【００７８】
さらに１階層あがって、今度は複数個接続ポートを持つノード（ブランチと呼ぶ）のうち、他ノードからの親子関係の宣言を受けたものから順次、更に上位に親子関係の宣言を行っていく。図１２ではまずノードＤがＤ−Ｅ間、Ｄ−Ｆ間と親子関係が決定した後、ノードＣに対する親子関係の宣言を行っており、その結果ノードＤ−Ｃ間で子−親と決定している。
【００７９】
ノードＤからの親子関係の宣言を受けたノードＣは、もう一つのポートに接続されていいるノードＢに対して親子関係の宣言を行っている。これによってノードＣ−Ｂ間で子−親と決定している。
【００８０】
このようにして、図１２のような階層構造が構成され、最終的に接続されているすべてのポートにおいて親となったノードＢが、ルートノードと決定された。
【００８１】
ルートは１つのネットワーク構成中に一つしか存在しないものである。
【００８２】
なお、この図１２においてノードＢがルートノードと決定されたが、これはノードＡから親子関係宣言を受けたノードＢが、他のノードに対して親子関係宣言を早いタイミングで行っていれば、ルートノードは他ノードに移っていたこともあり得る。すなわち、伝達されるタイミングによってはどのノードもルートノードとなる可能性があり、同じネットワーク構成でもルートノードは一定とは限らない。
【００８３】
ルートノードが決定すると、次は各ノードＩＤを決定するモードに入る。ここではすべてのノードが、決定した自分のノードＩＤを他のすべてのノードに通知する（ブロードキャスト機能）。
【００８４】
自己ＩＤ情報は、自分のノード番号、接続されている位置の情報、持っているポートの数、接続のあるポートの数、各ポートの親子関係の情報等を含んでいる。
【００８５】
ノードＩＤ番号の割り振りの手順としては、まず１つのポートにのみ接続があるノード（リーフ）から起動することができ、この中から順にノード番号＝０、１、２、…と割り当てられる。
【００８６】
ノードＩＤを手にしたノードは、ノード番号を含む情報をブロードキャストで各ノードに送信する。これによって、そのＩＤ番号は「割り当て済み」であることが認識される。
【００８７】
すべてのリーフが自己ノードＩＤを取得し終わると、次はブランチへ移りリーフに引き続いたノードＩＤ番号が各ノードに割り当てられる。リーフと同様に、ノードＩＤ番号が割り当てられたブランチから順次ノードＩＤ情報をブロードキャストし、最後にルートノードが自己ＩＤ情報をブロードキャストする。すなわち、常にルートは最大のノードＩＤ番号を所有するものである。
【００８８】
以上のようにして、階層構造全体のノードＩＤの割り当てが終わり、ネットワーク構成が再構築され、バスの初期化作業が完了する。
【００８９】
《アービトレーション》
１３９４シリアルバスでは、データ転送に先立って必ずバス使用権のアービトレーション（調停）を行う。１３９４シリアルバスは個別に接続された各機器が、転送された信号をそれぞれ中断することによって、ネットワーク内すべての機器に同信号を伝えるように、論理的なバス型ネットワークであるので、パケットの衝突を防ぐ意味でアービトレーションは必要である。これによってある時間には、たった一つのノードのみ転送を行うことができる。
【００９０】
アービトレーションを説明するための図として図１３（ａ）にバス使用要求の図（ｂ）にバス使用許可の図を示し、以下これを用いて説明する。
【００９１】
アービトレーションが始まると、１つもしくは複数のノードが親ノードに向かって、それぞれバス使用権の要求を発する。図１３（ａ）のノードＣとノードＦがバス使用権の要求を発しているノードである。これを受けた親ノード（図１３ではノードＡ）は更に親ノードに向かって、バス使用権の要求を発する（中継する）。この要求は最終的に調停を行うルートに届けられる。
【００９２】
バス使用要求を受けたルートノードは、どのノードにバスを使用させるかを決める。この調停作業はルートノードのみが行えるものであり、調停によって勝ったノードにはバスの使用許可を与える。図１３（ｂ）ではノードＣに使用許可が与えられ、ノードＦの使用は拒否された図である。アービトレーションに負けたノードに対してはＤＰ（ｄａｔａ  ｐｒｅｆｉｘ）パケットを送り、拒否されたことを知らせる。拒否されたノードのバス使用要求は次回のアービトレーションまで待たされる。
【００９３】
以上のようにして、アービトレーションに勝ってバスの使用許可を得たノードは、以降のデータの転送を開始できる。
【００９４】
ここで、アービトレーションの一連の流れをフローチャート図２２に示して、説明する。
【００９５】
ノードがデータ転送を開始できる為には、バスがアイドル状態であることが必要である。先に行われていたデータ転送が終了して、現在バスが空き状態であることを認識するためには、各転送モードで個別に設定されている所定のアイドル時間ギャップ長（例．サブアクション・ギャップ）を経過する事によって、各ノードは自分の転送が開始できると判断する。
【００９６】
ステップＳ４０１として、Ａｓｙｎｃデータ、Ｉｓｏデータ等それぞれ転送するデータに応じた所定のギャップ長が得られたか判断する。所定のギャップ長が得られない限り、転送を開始するために必要なバス使用権の要求はできないので、所定のギャップ長が得られるまで待つ。
【００９７】
ステップＳ４０１で所定のギャップ長が得られたら、ステップＳ４０２として転送すべきデータがあるか判断し、ある場合はステップＳ４０３として転送するためにバスを確保するように、バス使用権の要求をルートに対して発する。このときの、バス使用権の要求を表す信号の伝達は、図１３に示したように、ネットワーク内各機器を中継しながら、最終的にルートに届けられる。ステップＳ４０２で転送するデータがない場合は、そのまま待機する。
【００９８】
次に、ステップＳ４０４として、ステップＳ４０３のバス使用要求を１つ以上ルートが受信したら、ルートはステップＳ４０５として使用要求を出したノードの数を調べる。ステップＳ４０５での選択値がノード数＝１（使用権要求を出したノードは１つ）だったら、そのノードに直後のバス使用許可が与えられることとなる。ステップＳ４０５での選択値がノード数＞１（使用要求を出したノードは複数）だったら、ルートはステップＳ４０６として使用許可を与えるノードを１つに決定する調停作業を行う。この調停作業は公平なものであり、毎回同じノードばかりが許可を得る様なことはなく、平等に権利を与えていくような構成となっている。
【００９９】
ステップＳ４０７として、ステップＳ４０６で使用要求を出した複数ノードの中からルートが調停して使用許可を得た１つのノードと、敗れたその他のノードに分ける選択を行う。ここで、調停されて使用許可を得た１つのノード、またはステップＳ４０５の選択値から使用要求ノード数＝１で調停無しに使用許可を得たノードには、ステップＳ４０８として、ルートはそのノードに対して許可信号を送る。許可信号を得たノードは、受け取った直後に転送すべきデータ（パケット）を転送開始する。また、ステップＳ４０６の調停で敗れて、バス使用が許可されなかったノードにはステップＳ４０９としてルートから、アービトレーション失敗を示すＤＰ（ｄａｔａ  ｐｒｅｆｉｘ）パケットを送られ、これを受け取ったノードは再度転送を行うためのバス使用要求を出すため、ステップＳ４０１まで戻り、所定ギャップ長が得られるまで待機する。
【０１００】
以上がアービトレーションの流れを説明した、フローチャート図２２の説明である。
【０１０１】
《Ａｓｙｎｃｈｒｏｎｏｕｓ（非同期）転送》
アシンクロナス転送は、非同期転送である。図１４にアシンクロナス転送における時間的な遷移状態を示す。図１４の最初のサブアクション・ギャップは、バスのアイドル状態を示すものである。このアイドル時間が一定値になった時点で、転送を希望するノードはバスが使用できると判断して、バス獲得のためのアービトレーションを実行する。
【０１０２】
アービトレーションでバスの使用許可を得ると、次にデータの転送がパケット形式で実行される。データ転送後、受信したノードは転送されたデータに対しての受信結果のａｃｋ（受信確認用返送コード）をａｃｋ  ｇａｐという短いギャップの後、返送して応答するか、応答パケットを送ることによって転送が完了する。ａｃｋは４ビットの情報と４ビットのチェックサムからなり、成功か、ビジー状態か、ペンディング状態であるかといった情報を含み、すぐに送信元ノードに返送される。
【０１０３】
次に、図１５にアシンクロナス転送のパケットフォーマットの例を示す。
【０１０４】
パケットには、データ部及び誤り訂正用のデータＣＲＣの他にはヘッダ部があり、そのヘッダ部には図１５に示したような、目的ノードＩＤ、ソースノードＩＤ、転送データ長さや各種コードなどが書き込まれ、転送が行われる。
【０１０５】
またアシンクロナス転送は自己ノードから相手ノードへの１対１の通信である。転送元ノードから転送されたパケットは、ネットワ−ク中の各ノードに行き渡るが、自分宛てのアドレス以外のものは無視されるので、宛先の１つのノードのみが読込むことになる。
【０１０６】
以上がアシンクロナス転送の説明である。
【０１０７】
《Ｉｓｏｃｈｒｏｎｏｕｓ（同期）転送》
アイソクロナス転送は同期転送である。１３９４シリアルバスの最大の特徴であるともいえるこのアイソクロナス転送は、特にＶＩＤＥＯ映像データや音声データといったマルチメディアデータなど、リアルタイムな転送を必要とするデータの転送に適した転送モードである。
【０１０８】
また、アシンクロナス転送（非同期）が１対１の転送であったのに対し、このアイソクロナス転送はブロードキャスト機能によって、転送元の１つのノードから他のすべてのノードへ一様に転送される。
【０１０９】
図１６はアイソクロナス転送における、時間的な遷移状態を示す図である。
【０１１０】
アイソクロナス転送は、バス上一定時間毎に実行される。この時間間隔をアイソクロナスサイクルと呼ぶ。アイソクロナスサイクル時間は、１２５μＳである。この各サイクルの開始時間を示し、各ノードの時間調整を行う役割を担っているのがサイクル・スタート・パケットである。サイクル・スタート・パケットを送信するのは、サイクル・マスタと呼ばれるノードであり、１つ前のサイクル内の転送終了後、所定のアイドル期間（サブアクションギャップ）を経た後、本サイクルの開始を告げるサイクル・スタート・パケットを送信する。このサイクル・スタート・パケットの送信される時間間隔が１２５μＳとなる。
【０１１１】
また、図１６にチャネルＡ、チャネルＢ、チャネルＣと示したように、１サイクル内において複数種のパケットがチャネルＩＤをそれぞれ与えられることによって、区別して転送できる。これによって同時に複数ノード間でのリアルタイムな転送が可能であり、また受信するノードでは自分が欲しいチャネルＩＤのデータのみを取り込む。このチャネルＩＤは送信先のアドレスを表すものではなく、データに対する論理的な番号を与えているに過ぎない。よって、あるパケットの送信は１つの送信元ノードの他のすべてのノードに行き渡る、ブロードキャストで転送されることになる。
【０１１２】
アイソクロナス転送のパケット送信に先立って、アシンクロナス転送同様アービトレーションが行われる。しかし、アシンクロナス転送のように１対１の通信ではないので、アイソクロナス転送にはａｃｋ（受信確認用返信コード）は存在しない。
【０１１３】
また、図１６に示したｉｓｏ  ｇａｐ（アイソクロナスギャップ）とは、アイソクロナス転送を行う前にバスが空き状態であると認識するために必要にアイドル期間を表している。この所定のアイドル期間を経過すると、アイソクロナス転送を行ないたいノードはバスが空いていると判断し、転送前のアービトレーションを行うことができる。
【０１１４】
つぎに、図１７にアイソクロナス転送のパケットフォーマットの例を示し、説明する。
【０１１５】
各チャネルに分かれた、各種のパケットにはそれぞれデータ部及び誤り訂正用のデータＣＲＣの他にヘッダ部があり、そのヘッダ部には図１７に示したような、転送データ長やチャネルＮＯ、その他の各種コード及び誤り訂正用のヘッダＣＲＣなどが書き込まれ、転送が行われる。
【０１１６】
以上がアイソクロナス転送の説明である。
【０１１７】
《バス・サイクル》
実際の１３９４シリアルバス上の転送では、アイソクロナス転送と、アシンクロナス転送は混在できる。その時の、アイソクロナス転送とアシンクロナス転送が混在した、バス上の転送状態の時間的な遷移の様子を表した図を図１８に示す。
【０１１８】
アイソクロナス転送はアシンクロナス転送より優先して実行される。その理由は、サイクル・スタート・パケットの後、アシンクロナス転送を起動するために必要なアイドル期間のギャップ長（サブアクションギャップ）よりも短いギャップ長（アイソクロナスギャップ）で、アイソクロナス転送を起動できるからである。したがって、アシンクロナス転送より、アイソクロナス転送は優先して実行されることとなる。
【０１１９】
図１８に示した、一般的なバスサイクルにおいて、サイクル＃ｍのスタート時にサイクル・スタート・パケットがサイクル・マスタから各ノードに転送される。これによって、各ノードで時刻調整を行い、所定のアイドル期間（アイソクロナスギャップ）を待ってからアイソクロナス転送を行うべきノードはアービトレーションを行い、パケット転送に入る。図１８ではチャネルｅとチャネルｓとチャネルｋが順にアイソクロナス転送されている。
【０１２０】
このアービトレーションからパケット転送までの動作を、与えられているチャネル分繰り返し行った後、サイクル＃ｍにおけるアイソクロナス転送がすべて終了したら、アシンクロナス転送を行うことができるようになる。
【０１２１】
アイドル時間がアシンクロナス転送が可能なサブアクションギャップに達する事によって、アシンクロナス転送を行いたいノードはアービトレーションの実行に移れると判断する。
【０１２２】
ただし、アシンクロナス転送を行える期間は、アイソクロナス転送終了後から、次のサイクル・スタート・パケットを転送すべき時間（ｃｙｃｌｅ  ｓｙｎｃｈ）までの間にアシンクロナス転送を起動するためのサブアクションギャップが得られた場合に限っている。
【０１２３】
図１８のサイクル＃ｍでは３つのチャネル分のアイソクロナス転送と、その後アシンクロナス転送（含むａｃｋ）が２パケット（パケット１、パケット２）転送されている。このアシンクロナスパケット２の後は、サイクルｍ＋１をスタートすべき時間（ｃｙｃｌｅ  ｓｙｎｃｈ）にいたるので、サイクル＃ｍでの転送はここまでで終わる。
【０１２４】
ただし、非同期または同期転送動作中に次のサイクル・スタート・パケットを送信すべき時間（ｃｙｃｌｅ  ｓｙｎｃｈ）に至ったとしたら、無理に中断せず、その転送が終了した後のアイドル期間を待ってから次サイクル・スタート・パケットを送信する。すなわち、１つのサイクルが１２５μＳ以上続いたときは、その分次サイクルは基準の１２５μＳより短縮されたとする。このようにアイソクロナス・サイクルは１２５μＳを基準に超過、短縮し得るものである。
【０１２５】
しかし、アイソクロナス転送はリアルタイム転送を維持するために毎サイクル必要であれば必ず実行され、アシンクロナス転送はサイクル時間が短縮されたことによって次以降のサイクルにまわされることもある。
【０１２６】
【発明の効果】
本発明によれば、外部より着脱可能なメモリーカードや、通信手段を利用して、外部より情報を得ることにより、様々な画像入力装置にたいしてプリンターのバージョンアップや最適化が容易になり、最適にプリントを行うことが可能となる。
【図面の簡単な説明】
【図１】第１の発明の実施の形態を示すブロック図である。
【図２】第１の発明の実施の形態を示す図である。
【図３】第１の発明の実施の形態のフローチャートである。
【図４】第２の発明の実施の形態を示すブロック図である。
【図５】第２の発明の実施の形態を示す図である。
【図６】第２の発明の実施の形態のフローチャートである。
【図７】本発明のネットワークの構成を示した図である。
【図８】本発明の１３９４シリアルバスの構成要素を示した図である。
【図９】本発明の１３９４シリアルバスのアドレス空間を示した図である。
【図１０】本発明の１３９４シリアルバス・ケーブルの断面を示した図である。
【図１１】本発明のＤＳ−Ｌｉｎｋ符号か方式を示した図である。
【図１２】本発明のネットワークの動作を示した図である。
【図１３】本発明のシリアルバスのバス使用要求を示した図である。
【図１４】本発明のアシンクロナス転送の遷移状態を示した図である。
【図１５】本発明のアシンクロナス転送のパケットフォーマットを示した図である。
【図１６】本発明のアイソクロナス転送の遷移状態を示した図である。
【図１７】本発明のアイソクロナス転送のパケットフォーマットを示した図である。
【図１８】本発明のアシンクロナス転送、アイソクロナス転送が混在した場合の遷移状態を示した図である。
【図１９】本発明のバスリセットからノードＩＤ決定までのシーケンスを示した図である。
【図２０】本発明のバスリセットからノードＩＤ決定までのシーケンスを示した図である。
【図２１】本発明のバスリセットからノードＩＤ決定までのシーケンスを示した図である。
【図２２】本発明のシリアルバスのアービトレーションの流れを示したフローチャートを示す図である。
【図１】
0004018187.tif 000002
【図２】
0004018187.tif 000003
【図３】
0004018187.tif 000004
【図４】
0004018187.tif 000005
【図５】
0004018187.tif 000006
【図６】
0004018187.tif 000007
【図７】
0004018187.tif 000008
【図８】
0004018187.tif 000009
【図９】
0004018187.tif 000010
【図１０】
0004018187.tif 000011
【図１１】
0004018187.tif 000012
【図１２】
0004018187.tif 000013
【図１３】
0004018187.tif 000014
【図１４】
0004018187.tif 000015
【図１５】
0004018187.tif 000016
【図１６】
0004018187.tif 000017
【図１７】
0004018187.tif 000018
【図１８】
0004018187.tif 000019
【図１９】
0004018187.tif 000020
【図２０】
0004018187.tif 000021
【図２１】
0004018187.tif 000022
【図２２】
0004018187.tif 000023